(57)【要約】【課題】携帯電話を懸吊式として使用もしくは腰部に固定するため、スライドユニットでスピーディーに調節するイヤホンマイクコードの位置制御装置を提供する。      【解決手段】イヤホンマイクコードの位置制御装置は、予め設定された長さの信号コードのその内端に連接されたイヤホンジャックと、外端に連接されたイヤホンマイクを含む。そのうち、信号コードは首掛け孔として形成され、その首掛け孔は隣合う左右コードから構成される。またスライドユニットは、その本体に二個の左右穿孔が貫設され、左コードは左穿孔内に入れ、右コードは右穿孔内に入れ、左右コードが左右穿孔内でスライド移動することにより、首掛け孔の大きさを調節し、信号コードが首掛け孔となり、そこに人の頸部を通して使用する。【選択図】図３
0003106883.tif 000002
【実用新案登録請求の範囲】
【請求項１】
予め設定された長さの信号コードのその内端に連接されたイヤホンジャックと、外端に連接されたイヤホンマイクを含むイヤホンマイクコードの位置制御装置において、
信号コードが首掛け孔として形成され、その首掛け孔は隣合う左右コードから構成され、
スライドユニットは、その本体に二個の左右穿孔が貫設され、左コードは左穿孔内に入れ、右コードは右穿孔内に入れ、左右コードが左右穿孔内でスライド移動することにより、首掛け孔の大きさ及びイヤホンジャック上方の長さ及びイヤホンマイク下方コードの長さを調整することを特徴とするイヤホンマイクコードの位置制御装置。
【請求項２】
前記スライドユニットは、円形もしくは楕円形で、左右穿孔の上下部位の孔縁には凸縁部が設置され、左右穿孔の孔の高さを上げることを特徴とする請求項１記載のイヤホンマイクコードの位置制御装置。
【請求項３】
前記スライドユニットは、掛合紐が設置されることを特徴とする請求項１記載のイヤホンマイクコードの位置制御装置。
【請求項４】
前記スライドユニットは、その中央部に沿い、凹槽及び凸体が掛合して組み合わさるもので、両端に力がかかる凸体が凹槽から外れることを特徴とする請求項１記載のイヤホンマイクコードの位置制御装置。
【請求項５】
前記スライドユニットは、その表面に広告図案(もしくは文字)を入れることを特徴とする請求項１記載のイヤホンマイクコードの位置制御装置。
【請求項６】
前記イヤホンマイクは、単純なイヤホンとして使用することを特徴とする請求項１記載のイヤホンマイクコードの位置制御装置。
【考案の詳細な説明】
【技術分野】
【０００１】
本考案は、イヤホンマイクコードの位置制御装置に関するもので、コード上に携帯電話の位置を移動するスライドユニットが設置され、イヤホンコードがリングを形成して首に掛ける。
【背景技術】
【０００２】
公知のイヤホンマイク装置は、図９に示すとおり、長さの長い信号コードＳで、外端にはイヤホンＥが連接され、別端にはイヤホンジャックＡが連接される。またコード上にクリップＢ及びマイクＣが設置され、使用時には、クリップＢを服に挟み、イヤホンジャックを携帯電話に挿し込み、イヤホンＥを耳に入れることによって、相手の声を聞いたり、話したりするハンズフリーである。
【０００３】
上述の欠点として、
コードが非常に長く、使用時、コードは腰まで垂れ下がり、見た目が悪いだけでなく、歩行に支障が出やすい。
また、信号コードＳを人に定位させるのに、クリップＢだけで挟んでいるため、安定性が悪い。
【０００４】
図１０に示すのは、ネックストラップ式の携帯電話用イヤホンマイクで、信号コードＳの上方には固定挟持板Ａが固定され、その固定挟持板Ａには織物の布体Ｂ１が連接されて、ネックストラップＢを形成する。固定挟持板Ａを通って出た信号コードＳは布体Ｂ１に覆われ、続いて布体Ｂ１の一側端から信号コードＳが出てイヤホンＥに連接する。信号コードＳ下端にはマイクＣ、イヤホンジャックＤが連接する。
この装置は、ネックストラップを後頸部に掛ける構造で、マイクＣの下に携帯電話を掛け、更にイヤホンジャックＤは携帯電話の出力端子に挿して使用する。
【考案の開示】
【考案が解決しようとする課題】
【０００５】
解決しようとする問題点は、下述の点である。
製造コストが高い。織り製品の布体Ｂ１で信号コードＳを覆わなければならず、また挟持板Ａで信号コードＳ及び布体Ｂ１の両端を固定しなければならない。
イヤホンジャックＤ上方の信号コードＳ１は長さが決まっていているため、長さを調節しても身体の異なる位置に携帯電話を固定することは出来ない。
脱落防止装置がない。挟持板Ａ以下の各々の部品はすべて懸吊式であるため、外からの力がかかった場合、使用者の頭部も一緒に引っ張られ、怪我する危険がある。
【課題を解決するための手段】
【０００６】
本考案は、予め設定された長さの信号コードのその内端に連接されたイヤホンジャックと、外端に連接されたイヤホンマイクを含む。そのうち、信号コードは首掛け孔として形成され、その首掛け孔は隣合う左右コードから構成される。またスライドユニットは、その本体に二個の左右穿孔が貫設され、左コードは左穿孔内に入れ、右コードは右穿孔内に入れ、左右コードが左右穿孔内でスライド移動することにより、首掛け孔の大きさを調節し、信号コードが首掛け孔となり、そこに人の頸部を通して使用することを最も主要な特徴とする。
【考案の効果】
【０００７】
本考案のイヤホンマイクコードの位置制御装置は、携帯電話を懸吊式として使用もしくは腰部に固定するため、スライドユニットでスピーディーに調節するという利点がある。
【考案を実施するための最良の形態】
【０００８】
信号コードの調節によって、首掛け孔が形成され、頸部に掛けて使用する。
イヤホンジャックのコードの長さを即座に調節する。
外的圧力が掛かった時、隣合う信号コードは分離して、誤って首が絞まってしまうのを防止する。
製造、加工コストが低い。
広告効果を具えるという目的を実現した。
【０００９】
図３に示すとおり、本考案は、予め定めた長さの信号コード１０の内端にイヤホンジャック１２、外端にはイヤホンマイクが連接される。
【００１０】
信号コード１０は、環状の首掛け孔１５に形成され、その首掛け孔１５の両側は左、右コード１５１，１５２が形成する。
【００１１】
スライドユニット３０は、本体上に二つの左、右穿孔３２、３４(図１,２参照)が成形され、左コード１５１は左穿孔３２内に通し、右コード１５２は右穿孔３４内に通す。左右コード１５１，１５２は、左右穿孔３２,３４内でスライド移動し、首掛け孔１５の大きさ及びイヤホンジャック１２上方のコード１２１の長さ、そしてイヤホンマイク１４下方のコード１４１の長さを調整する。
スライドユニット３０は、円形もしくは楕円形で、左右穿孔３２,３４の上下部位の孔縁には凸縁部３２１，３４１が成形され、左右穿孔３２,３４の孔高度を上げる。
スライドユニット３０には、掛合紐４０が設置される。
スライドユニット３０は、中央に沿って、凹槽３０１及び凸槽３０２が設置されて掛合して組み合わさる(図６、７参照)。そのスライドユニット３０の両端は、引っ張ることによって、凸槽３０２が凹槽３０１から離れる。
スライドユニット３０の表面には広告図案(もしくは文字)を入れる(図１,２参照)。
【００１２】
イヤホンマイク１４は、単一イヤホンを使用することもある。
【００１３】
図５に示すとおり、左右コード１５１，１５２を左右穿孔３２，３４に各々通してスライド移動し、首掛け孔１５の大きさを使用者頸部の太さに合わせ、それを使用者の後頸部９０に掛けることによって、信号コード１０が安定して固定される。即ち、信号コード１０本体を公知の布製ストラップに代替させる。
【００１４】
図４に示すとおり、携帯電話８０を胸の位置に設置する時には、携帯電話８０は掛合紐４０によって掛合される。左右穿孔３２,３４と左右コード１５１，１５２を密接に合わせることによって、左右コード１５１，１５２を引いた方は、左右コード１５１，１５２が左右穿孔３２,３４内でスライド移動し、そのため吊り下げられている携帯電話８０の重量はスライドユニット３０の外側に集中し、スライドユニット３０は左右コード１５１，１５２上で停止する。そのため、スライドユニット３０が静止状態の時、左右コード１５１，１５２はスライド移動しない。イヤホンジャック１２上方のコード１２１は短い。そのため、イヤホンジャック１２は携帯電話８０の信号コード出力端子内に差し込まれる。スライドユニット３０の形状に制限はなく、ブロック体もしくは棒状もしくはその他形状でもよい。
【００１５】
図４に示すとおり、携帯電話８０を使用者の腰部９２に設置する場合、図５に示すように、左右コード１５１，１５２と左右穿孔３２,３４を相対してスライド移動し、コード１２１を下向きに伸ばす。イヤホンジャック１２は腰部９２位置の携帯電話８０の出力端子に差込まれる。信号コード１０の移動位置は図４に示すとおりである。この時、イヤホンジャック１２上方のコード１２１の長さは直ちに調整され、携帯電話８０を懸吊式もしくは腰部９２固定に選択する。
【００１６】
図６に示すとおり、本考案のスライドユニット３０は分離式で、左右本体３６,３７に分かれる。左本体３６内側縁には凹槽３０１が成形され、右本体３７には凸槽３０２が成形され、凸体３０２と凹槽３０１の掛合連接によってスライドユニットが構成される。その目的は、万一左右コード１５１，１５２が外からの力で外れたとき、凸体３０２がその力を受け、凹槽３０１から外れ、首掛け孔１５が人の首を誤って締める事を防止する。
【００１７】
図１,２に示すとおり、スライドユニット３０の表面に広告図案３１(もしくは文字)を設置して広告効果を上げる。
【００１８】
他に、図８に示すとおり、本考案のイヤホンマイク１４は二個設置され、増設したイヤホンマイク１４´下方に連接するコード１４１´は主信号コード１０から分岐する。この実施例も本考案の範囲とする。また、イヤホンマイク１４は、イヤホンとマイクの結合体として制限しない。単純なイヤホン使用でもよく、その場合、マイクはイヤホン下方のコード上に設置する(図未提示)。
【図面の簡単な説明】
【００１９】
【図１】本考案のスライドユニット主体図である。
【図２】本考案のスライドユニットに掛合紐を設置した立体図である。
【図３】本考案の主体組立図である。
【図４】本考案実施例の立体図である。
【図５】本考案の信号コードがスライドユニットの穿孔でスライドする断面指示図である。
【図６】本考案スライドユニットの別の実施例立体図である。
【図７】図６のスライドユニットを分離した状態の立体図である。
【図８】本考案の別の実施例立体図である。
【図９】公知の単一イヤホンコードの立体図である。
【図１０】公知のネックストラップ式イヤホンの実施例立体図である。
【符号の説明】
【００２０】
[本考案]
１０        信号コード
１２        イヤホンジャック
１２１        コード
１４        イヤホンマイク
１４１        コード
１４１´      コード
１５        首掛け孔
１５１        右コード
１５２        左コード
３０        スライドユニット
３０１        凹槽
３０２        凸槽
３１        図案
３２        左穿孔
３２１        凸縁部
３４        右穿孔
３４１        凸縁部
３６        左本体
３７        右本体
４０        掛合紐
８０        携帯電話
９０        後頸部
９２        腰部
[公知図９]
Ａ        イヤホンジャック
Ｂ        クリップ
Ｃ        マイク
Ｅ        イヤホン
Ｓ        信号コード
[公知図１０]
Ａ        固定挟持板
Ｂ        ストラップ
Ｂ１      布体
Ｃ        マイク
Ｄ        イヤホンジャック
Ｅ        イヤホン
Ｓ        信号コード
Ｓ１      
【図１】
0003106883.tif 000003
【図２】
0003106883.tif 000004
【図３】
0003106883.tif 000005
【図４】
0003106883.tif 000006
【図５】
0003106883.tif 000007
【図６】
0003106883.tif 000008
【図７】
0003106883.tif 000009
【図８】
0003106883.tif 000010
【図９】
0003106883.tif 000011
【図１０】
0003106883.tif 000012